(57)【要約】【課題】  スライドショー再生に用いる撮影画像を収集するときの娯楽性をより高める手段を提供する。【解決手段】  電子カメラの読込部は、画像を取得すべき情景をそれぞれ指定する複数種類の行動指示のデータと、各々の行動指示に応じて取得された複数の画像を再生装置に所定の順番でスライドショー再生させるためのテンプレートデータとを読み込む。表示部は、行動指示の内容を示すガイド表示を行う。撮像部は、ガイド表示に対応する情景を撮影して、撮影画像のデータを生成する。記録部は、撮影画像のデータを記憶媒体に記録する。判別部は、テンプレートデータに基づいて、撮影画像がスライドショー再生で何番目に再生される画像に対応するかを判別する判別処理を行う。制御部は、判別処理の結果に基づいて、複数の撮影画像をスライドショー再生の再生順で管理するスライドショーデータを生成する。【選択図】  図１
2010041472.tif 000002
【特許請求の範囲】
【請求項１】
画像を取得すべき情景をそれぞれ指定する複数種類の行動指示のデータと、各々の前記行動指示に応じて取得された複数の画像を再生装置に所定の順番でスライドショー再生させるためのテンプレートデータとを読み込む読込部と、
前記行動指示の内容を示すガイド表示を行う表示部と、
前記ガイド表示に対応する情景を撮影して、撮影画像のデータを生成する撮像部と、
前記撮影画像のデータを記憶媒体に記録する記録部と、
前記テンプレートデータに基づいて、前記撮影画像が前記スライドショー再生で何番目に再生される画像に対応するかを判別する判別処理を行う判別部と、
前記判別処理の結果に基づいて、複数の前記撮影画像を前記スライドショー再生の再生順で管理するスライドショーデータを生成する制御部と、
を備えることを特徴とする電子カメラ。
【請求項２】
請求項１に記載の電子カメラにおいて、
複数の前記行動指示のうちから前記ガイド表示の対象となる特定指示を選択する操作を受け付ける操作部をさらに備え、
前記判別部は、前記特定指示の選択順で取得された各々の前記撮影画像に対して、前記判別処理をそれぞれ行うことを特徴とする電子カメラ。
【請求項３】
請求項１に記載の電子カメラにおいて、
１種類の前記行動指示に対して複数の前記撮影画像のデータが取得されたときに、前記スライドショー再生に用いる画像を特定する画像特定部をさらに備え、
前記制御部は、前記画像特定部によって特定された画像を用いて前記スライドショーデータを生成することを特徴とする電子カメラ。
【請求項４】
請求項１に記載の電子カメラにおいて、
外部の機器と通信を行う通信部をさらに備え、
前記行動指示には、外部のカメラで撮影された画像を通信回線を介して取得するダウンロード指示が含まれるとともに、
前記制御部は、前記ダウンロード指示に応じて前記通信部が取得したダウンロード画像を用いて前記スライドショーデータを生成することを特徴とする電子カメラ。
【請求項５】
請求項１に記載の電子カメラにおいて、
前記判別部は、前記撮影画像の撮影時に前記判別処理を行うことを特徴とする電子カメラ。
【請求項６】
請求項１に記載の電子カメラと、サーバとを用いたデータ配信方法であって、
前記サーバは、
画像を取得すべき情景をそれぞれ指定する複数種類の行動指示のデータと、各々の前記行動指示に応じて取得された複数の画像を再生装置に所定の順番でスライドショー再生させるためのテンプレートデータとを記憶した記憶部と、
前記行動指示のデータおよび前記テンプレートデータを通信回線を介して送信するサーバ側通信部とを備え、
前記電子カメラの読込部は、前記通信回線を介して前記サーバとの通信を行う通信部を含み、
前記読込部は、前記行動指示のデータおよび前記テンプレートデータを前記サーバから取得することを特徴とするデータ配信方法。
【請求項７】
請求項１に記載の電子カメラにデータを送信するサーバであって、
画像を取得すべき情景をそれぞれ指定する複数種類の行動指示のデータと、各々の前記行動指示に応じて取得された複数の画像を再生装置に所定の順番でスライドショー再生させるためのテンプレートデータとを記憶したメモリと、
前記行動指示のデータおよび前記テンプレートデータを通信回線を介して送信するサーバ側通信部と
を備えることを特徴とするサーバ。
【発明の詳細な説明】
【技術分野】
【０００１】
本発明は、電子カメラとその周辺技術に関する。
【背景技術】
【０００２】
従来から、パーソナルコンピュータや電子カメラなどの画像再生装置では、静止画像の連続再生（いわゆるスライドショー再生）機能を有するものが知られている。一例として、特許文献１には、撮影された画像の撮影情報を用いて、スライドショー再生での画像の動きを制御する構成が開示されている。
【特許文献１】特開２００６−５４５２３号公報
【発明の開示】
【発明が解決しようとする課題】
【０００３】
しかし、従来の技術では、スライドショー再生に用いる撮影画像をユーザーが楽しみながら収集することにより、スライドショーの作成を通じて電子カメラをパーティグッズ的に活用することは十分に意図されていなかった。
【０００４】
そこで、本発明の目的は、スライドショー再生に用いる撮影画像を収集するときの娯楽性をより高める手段を提供することにある。
【課題を解決するための手段】
【０００５】
一の態様の電子カメラは、読込部と、表示部と、撮像部と、記録部と、判別部と、制御部とを備える。読込部は、画像を取得すべき情景をそれぞれ指定する複数種類の行動指示のデータと、各々の行動指示に応じて取得された複数の画像を再生装置に所定の順番でスライドショー再生させるためのテンプレートデータとを読み込む。表示部は、行動指示の内容を示すガイド表示を行う。撮像部は、ガイド表示に対応する情景を撮影して、撮影画像のデータを生成する。記録部は、撮影画像のデータを記憶媒体に記録する。判別部は、テンプレートデータに基づいて、撮影画像がスライドショー再生で何番目に再生される画像に対応するかを判別する判別処理を行う。制御部は、判別処理の結果に基づいて、複数の撮影画像をスライドショー再生の再生順で管理するスライドショーデータを生成する。
【０００６】
上記の一の態様の電子カメラは、複数の行動指示のうちからガイド表示の対象となる特定指示を選択する操作を受け付ける操作部をさらに備えていてもよい。また、判別部は、特定指示の選択順で取得された各々の撮影画像に対して、判別処理をそれぞれ行ってもよい。
【０００７】
上記の一の態様の電子カメラは、１種類の行動指示に対して複数の撮影画像のデータが取得されたときに、スライドショー再生に用いる画像を特定する画像特定部をさらに備えていてもよい。また、制御部は、画像特定部によって特定された画像を用いてスライドショーデータを生成してもよい。
【０００８】
上記の一の態様の電子カメラは、外部の機器と通信を行う通信部をさらに備えていてもよい。また、行動指示には、外部のカメラで撮影された画像を通信回線を介して取得するダウンロード指示が含まれていてもよい。そして、制御部は、ダウンロード指示に応じて通信部が取得したダウンロード画像を用いてスライドショーデータを生成してもよい。
【０００９】
さらに、上記の一の態様において、判別部は、撮影画像の撮影時に判別処理を行ってもよい。
【００１０】
ここで、一の態様の電子カメラに対して行動指示のデータおよびテンプレートデータを配信するサーバや、上記の電子カメラおよびサーバによるデータ配信方法も本発明の具体的態様として有効である。
【発明の効果】
【００１１】
本発明によれば、スライドショー再生に用いる撮影画像を収集するときの娯楽性をより高めることができる。
【発明を実施するための最良の形態】
【００１２】
＜一の実施形態の構成＞
図１は、一の実施形態における電子カメラシステムの構成例を示すブロック図である。一の実施形態の電子カメラシステムは、電子カメラ１と、サーバ２と、記念撮影用カメラユニット３とを有している。
【００１３】
一の実施形態での電子カメラ１は、動作モードの１つとしてスライドショー作成モードを有している。このスライドショー作成モードでは、予め用意された複数のスライドショー作成ファイルのうちから任意のファイルを指定することで、ユーザーがスライドショーの主題（テーマ）を選択する。そして、この主題に沿った画像をユーザーが電子カメラ１で収集することによって、１つのスライドショーを作成できる。
【００１４】
ここで、スライドショー作成ファイルは、作成されるスライドショーの主題（撮影場所、撮影する状況、スライドショーのＢＧＭなど）ごとに異なる内容のものが用意される。一例として、スライドショー作成ファイルには、誕生会を主題としたファイル、運動会を主題としたファイル、パーティを主題としたファイル、特定のテーマパーク（遊園地など）や観光地での撮影を主題としたファイル、特定のＢＧＭに合わせたスライドショーを作成するためのファイルなどが用意されている。
【００１５】
また、スライドショー作成ファイルは、同一の主題について撮影するグループの種別（家族、友人、カップルなど）ごとに行動指示の内容を変化させた別のファイルを用意してもよい。一例として、同じ主題でグループの種別のみが異なるファイルでは、同じシーンを撮影するときでも、行動指示が以下のように異なって設定される。例えば、家族の場合の行動指示は「手をつないで撮影」となり、友人の場合の行動指示は「バンザイで撮影」となり、カップルの場合の行動指示は「頬をくっつけて撮影」となる。
【００１６】
なお、一の実施形態では、テーマパークを主題としたスライドショー作成ファイルを用いるとともに、ユーザーがテーマパークにおいてスライドショー用の画像を収集する例を説明する。
【００１７】
次に、一の実施形態の電子カメラ１の構成を説明する。電子カメラ１は、ユーザーが持ち運んで使用する。電子カメラ１は、撮像素子１１と、ＣＰＵ１２と、第１メモリ１３と、第２メモリ１４と、記録Ｉ／Ｆ１５と、無線通信モジュール１６と、外部Ｉ／Ｆ１７と、モニタ１８と、スピーカー１９と、操作部２０とを有している。なお、撮像素子１１、第１メモリ１３、第２メモリ１４、記録Ｉ／Ｆ１５、無線通信モジュール１６、外部Ｉ／Ｆ１７、モニタ１８、スピーカー１９および操作部２０は、それぞれＣＰＵ１２と接続されている。
【００１８】
撮像素子１１は、撮影レンズ（不図示）によって受光面に結像した像を撮像する。この撮像素子１１で生成された画像信号はＡ／Ｄ変換部（不図示）を介してＣＰＵ１２に入力される。なお、一の実施形態での撮像素子１１は、静止画像の単写撮影および動画像の撮影がいずれも可能である。
【００１９】
ここで、撮像素子１１は後述のレリーズ釦（２０ａ）の全押し操作に応答して記録用の静止画像や記録用の動画像を撮影する。また、撮像素子１１は、撮影待機時にも所定間隔ごとに観測用の画像（スルー画像）を連続的に撮像する。ここで、時系列に取得されたスルー画像のデータは、モニタ１８での動画表示やＣＰＵ１２による各種の演算処理に使用される。
【００２０】
ＣＰＵ１２は、電子カメラ１の各種モードでの動作を統括的に制御するプロセッサである。一例として、ＣＰＵ１２は、スルー画像に基づくオートフォーカス（ＡＦ）演算および自動露出（ＡＥ）演算をそれぞれ公知のアルゴリズムで実行する。また、ＣＰＵ１２は、第１メモリ１３および第２メモリ１４のデータの読み込み／書き込みを制御する。さらに、ＣＰＵ１２は、第２メモリ１４に格納されたプログラムの実行によってスライドショー作成部２１として機能する。なお、スライドショー作成部２１の動作については後述する。
【００２１】
さらに、ＣＰＵ１２は、各種の画像処理を行う画像処理部２２を有している。この画像処理部２２は、処理対象の画像のデータに対して、色補間処理、階調変換処理、輪郭強調処理、ホワイトバランス調整などの画像処理を実行する。また、画像処理部２２は、画像の解像度変換処理や、スライドショー再生で用いる画像の合成処理を行う。
【００２２】
第１メモリ１３は、揮発性の記憶媒体（例えばＳＤＲＡＭなど）で構成される。この第１メモリ１３は、画像処理の前工程や後工程で画像のデータなどを一時的に記憶する。
【００２３】
第２メモリ１４は、フラッシュメモリ等の不揮発性の記憶媒体で構成される。この第２メモリ１４には、スライドショー作成モードの動作プログラムなどが記憶される。なお、第２メモリ１４は、スライドショー作成ファイルのデータを記録するための記憶領域としても利用できる。
【００２４】
ここで、図２を参照しつつ、スライドショー作成ファイルのデータ構造例について説明する。各々のスライドショー作成ファイルには、複数種類の行動指示のデータと、テンプレートデータとが含まれている。
【００２５】
各々の行動指示のデータは、スライドショー作成モードの撮影で画像を取得すべき情景を指定するテキストで構成されている。また、各々の行動指示には、スライドショーでの画像の再生順に対応した番号が付与されている。なお、行動指示の内容には、ユーザーに電子カメラ１で画像を撮影させる撮影指示と、ユーザーに記念撮影用カメラユニット３から画像をダウンロードさせるダウンロード指示とが含まれる。
【００２６】
一例として、テーマパーク編のスライドショー作成ファイルでの行動指示には、「１：テーマパークの入口で撮影して下さい」、「２：キャラクタＡと一緒に撮影をして下さい」、「３：アトラクションＢの前で撮影して下さい」、・・・「７：アトラクションＣに乗って記念撮影をして下さい（画像のダウンロード）」などの内容が含まれる。
【００２７】
また、テンプレートデータは、上記の行動指示に応じて取得された複数の画像を所定の順番でスライドショー再生させるためのデータである。一例として、テンプレートデータには、シナリオデータ、オーディオデータ、プリセット画像データ、合成処理データ、パラメータ設定データ、画像取得管理データが含まれる。
【００２８】
シナリオデータは、スライドショー再生での画像および音楽の再生スケジュールを示す制御データである。例えば、シナリオデータには、スライドショーでの表示画像の登場順、各表示画像の表示タイミングおよび表示時間、各表示画像の映像効果（フェードイン／アウト、ズームイン／アウト、パンニング方向、画像のオーバーラップの有無など）、ＢＧＭの再生順、ＢＧＭの再生時間、音響効果（フェードイン／アウト、効果音など）をそれぞれ示すデータが含まれる。
【００２９】
オーディオデータは、スライドショーで再生されるＢＧＭや効果音のデータで構成される。なお、１つのスライドショーにおいて再生されるＢＧＭは１曲でも複数曲でもよい。
【００３０】
プリセット画像データは、例えば、スライドショー作成モードで画像合成を行うときの元画像や、スライドショーに挿入される画像（タイトル画像など）のデータで構成される。また、合成処理データは、特定の行動指示の番号に対応する撮影画像と、上記の元画像との合成を指示するデータである。
【００３１】
パラメータ設定データは、所定の行動指示のフレームを撮影するときの電子カメラ１のパラメータ設定（撮影モード、撮影条件、画像処理で適用するフィルタなど）を示している。例えば、行動指示で夕焼けのシーンの撮影が指示されている場合、その行動指示に対応するパラメータ設定データには、夕焼けでの撮影に適した撮影モード（夕焼けモード）への切替指示が記録されている。
【００３２】
画像取得管理データは、上記の行動指示の各番号に対応した画像がそれぞれ取得されたか否かをチェックするフラグを含んでいる。画像取得管理データの各フラグは、デフォルトの状態において画像未取得の状態に設定されている。また、画像取得管理データには、各々の行動番号に対応する画像保存フォルダを作成するプログラムを含んでいる。
【００３３】
なお、一の実施形態でのスライドショー作成ファイルには、製造時において第２メモリ１４にデフォルトで登録されているファイルと、サーバ２からダウンロードされて電子カメラ１に追加登録されたファイルとの２種類が存在する。
【００３４】
図１に戻って、記録Ｉ／Ｆ１５は、外付けの記憶媒体２３が着脱可能に接続されるコネクタを有している。そして、記録Ｉ／Ｆ１５は、コネクタを介して接続された記憶媒体２３に対して、データの書き込み／読み込みを行う。一の実施形態での記憶媒体２３には、ＣＰＵ１２の制御によって、例えば、撮像素子１１で撮影された撮影画像のデータや、スライドショー作成ファイルのデータのデータが記録される。上記の記憶媒体２３は、ハードディスクや、半導体メモリを内蔵したメモリカードなどで構成される。なお、図１では記憶媒体２３の一例としてメモリカードを図示する。
【００３５】
無線通信モジュール１６は、アンテナを介して外部の装置（サーバ２など）との無線によるデータ送受信を実行する。一の実施形態での無線通信モジュール１６は、例えばＩＥＥＥ８０２．１１などの公知の通信規格に準拠して無線通信を行う。
【００３６】
外部Ｉ／Ｆ１７は、ＵＳＢ（Universal Serial Bus）などのシリアル通信規格の接続端子を有している。そして、外部Ｉ／Ｆ１７は、接続端子を介して接続された外部の装置（サーバ２など）とのデータ送受信を上記の通信規格に準拠して制御する。
【００３７】
モニタ１８は、ＣＰＵ１２の指示に応じて各種画像を表示する。例えば、モニタ１８は、スライドショー形式での撮影画像の再生表示や、スライドショー作成モードにおける後述のガイド表示などに用いられる。なお、本実施形態でのモニタ１８の構成は、接眼部を有する電子ファインダや、カメラ筐体の背面などに設けられる液晶表示パネルのいずれでもよい。
【００３８】
スピーカー１９は、例えば、撮影時のシャッタ音や、スライドショー再生時のＢＧＭなどを再生する。
【００３９】
操作部２０は、ユーザーからの操作を受け付ける複数のスイッチを有している。一の実施形態の操作部２０には、レリーズ釦２０ａ、十字キー２０ｂ、決定釦２０ｃ、モードダイヤル２０ｄが含まれる。
【００４０】
レリーズ釦２０ａは、半押し操作による撮影前のＡＦ動作開始の指示入力と、全押し操作による撮像動作開始の指示入力とをユーザーから受け付ける。また、十字キー２０ｂおよび決定釦２０ｃは、例えば、電子カメラ１での各種設定の操作をユーザーから受け付ける。モードダイヤル２０ｄは、電子カメラ１の動作モードの切替入力をユーザーから受け付ける。
【００４１】
次に、一の実施形態のサーバ２の構成を説明する。一の実施形態でのサーバ２は、スライドショー作成ファイルを電子カメラ１に提供する機能を有している。なお、サーバ２は、スライドショー作成ファイルを配信する事業者によって運用される。
【００４２】
サーバ２は、記憶部３１と、サーバ通信部３２と、サーバ制御部３３とを有している。記憶部３１およびサーバ通信部３２は、いずれもサーバ制御部３３と接続されている。記憶部３１には、電子カメラ１に配信されるスライドショー作成ファイルが記憶されている。また、サーバ通信部３２は、通信回線を介して電子カメラ１にスライドショー作成ファイルのデータを送信する。このサーバ通信部３２と電子カメラ１との通信は、無線通信モジュール１６を介した無線通信や、あるいは外部Ｉ／Ｆ１７を介した有線での通信のいずれであってもよい。さらに、サーバ制御部３３は、サーバ２の統括的な制御を実行する。
【００４３】
次に、一の実施形態の記念撮影用カメラユニット３の構成を説明する。この記念撮影用カメラユニット３は、テーマパーク内に配置されたカメラであって、テーマパークのアトラクション（乗り物）において乗客の記念撮影を行う。なお、一の実施形態では、記念撮影用カメラユニット３はアトラクションの進行に同期して自動的に乗客の撮影を行うものとする。
【００４４】
この記念撮影用カメラユニット３は、撮像モジュール４１と、カメラ通信部４２と、カメラ制御部４３とを有している。撮像モジュール４１およびカメラ通信部４２は、いずれもカメラ制御部４３と接続されている。撮像モジュール４１は、被写体を撮像して画像のデータを生成する。また、カメラ通信部４２は、通信回線を介して電子カメラ１へ撮影画像のデータを送信する。このカメラ通信部４２と電子カメラ１との通信は、無線通信モジュール１６を介した無線通信や、あるいは外部Ｉ／Ｆ１７を介した有線での通信のいずれであってもよい。さらに、カメラ制御部４３は、撮像モジュール４１の撮影タイミングの指示や、記念撮影用カメラユニット３の統括的な制御などを実行する。
【００４５】
＜一の実施形態での動作説明＞
以下、一の実施形態における電子カメラ１のスライドショー作成モードでの動作例を説明する。
【００４６】
まず、スライドショー作成モードを立ち上げると、ＣＰＵ１２は、スライドショーの主題選択画面をモニタ１８に表示する（図３参照）。この主題選択画面では、第２メモリ１４および記憶媒体２３に記憶されているスライドショー作成ファイルの主題が一覧表示される。そして、ＣＰＵ１２は、操作部２０の十字キー２０ｂおよび決定釦２０ｃを介してスライドショー作成ファイルの指定をユーザーから受け付ける。また、主題選択画面では、スライドショー作成ファイルをサーバ２から取得するためのダウンロード指示をユーザーが行うこともできる。
【００４７】
ここで、ＣＰＵ１２は、ダウンロード指示の操作を受け付けると、無線通信モジュール１６または外部Ｉ／Ｆ１７を介してサーバ２にスライドショー作成ファイルの取得要求を送信する。このとき、ＣＰＵ１２は、ファイルの取得要求に先だってダウンロードの対象となるスライドショー作成ファイルの一覧を取得して、ダウンロードするファイルを電子カメラ１上でユーザーに選択させる。
【００４８】
サーバ２のサーバ制御部３３は、上記の取得要求に応じて、スライドショー作成ファイルを電子カメラ１に送信する。このとき、サーバ制御部３３は、電子決済などの手段でユーザーに対する課金処理を行ってもよい。一方、ＣＰＵ１２は、スライドショー作成ファイルを受信すると、ダウンロードしたスライドショー作成ファイルを記憶媒体２３に記録する。なお、ダウンロードで追加されたスライドショー作成ファイルも、ＣＰＵ１２の制御によって、主題選択画面での選択対象に加えられる。
【００４９】
そして、主題選択画面でスライドショー作成ファイルが指定されると、ＣＰＵ１２のスライドショー作成部２１は、ユーザーが指定したスライドショー作成ファイル（以下、指定ファイルと称する）を用いてスライドショーの作成処理を開始する。なお、指定ファイルの初回実行時には、スライドショー作成部２１は、画像取得管理データに基づいて、各々が行動指示の番号に対応付けされている複数の画像保存フォルダを記憶媒体２３に生成する。
【００５０】
以下、図４、図５の流れ図を参照しつつ、スライドショーの作成処理の例を説明する。なお、以下の例では、上述したテーマパーク編のスライドショー作成ファイルが指定ファイルである場合を前提として説明を行う。
【００５１】
ステップＳ１０１：スライドショー作成部２１は、指定ファイルの画像取得管理データの各フラグをチェックし、スライドショーに用いるすべての画像が取得済か否かを判定する。上記要件を満たす場合（ＹＥＳ側）にはＳ１１６に移行する。一方、上記要件を満たさない場合（ＮＯ側）にはＳ１０２に移行する。
【００５２】
ステップＳ１０２：スライドショー作成部２１は、行動指示の内容を示すガイド表示画面をモニタ１８に表示する。ガイド表示画面での各種の表示処理は、いずれもＣＰＵ１２によって制御される。
【００５３】
図６に、一の実施形態におけるガイド表示画面の例を示す。ガイド表示画面では、スルー画像に基づくファインダ画像が動画表示される。そのため、ユーザーは、モニタ１８のファインダ画像を参照しつつ、撮影構図を決定するためのフレーミングを行うことができる。また、ガイド表示画面では、行動指示に対応するガイドメッセージと、行動指示の表示バーとがそれぞれファインダ画像にオーバーレイされる。
【００５４】
ガイドメッセージは、図６において画面下側に表示される。このガイドメッセージには、現在選択されている行動指示（以下、特定指示と称する）に対応したテキストが示される。そのため、ユーザーはガイドメッセージを参照することで、スライドショーのためにどのような画像を撮影すべきかを把握できる。
【００５５】
なお、デフォルトの状態において、スライドショー作成部２１は、画像取得管理データを参照し、画像が未取得の行動指示のうちで最も数が小さい番号の行動指示を特定指示として選択する。このとき、スライドショー作成部２１は、特定指示に対応したパラメータ設定データを読み出して、電子カメラ１の撮影条件のパラメータや画像処理のパラメータの設定変更も行うものとする。
【００５６】
また、行動指示の表示バーは、図６において画面右端に表示される。この表示バーには行動指示の番号が複数表示されている。この表示バーでは、特定指示の番号が枠表示で強調されている。また、表示バーにおいて、画像が取得済の行動指示の番号には識別用のマークが表示される（図６の例では識別用のマークをハッチングで示す）。そのため、ユーザーは表示バーを参照することで、画像の取得状況を容易に判断できる。
【００５７】
なお、一の実施形態の電子カメラ１では、画像が取得済の行動指示をさらに特定指示として選択して、１つの行動指示に対して複数の画像のデータを取得することが可能である。
【００５８】
ステップＳ１０３：スライドショー作成部２１は、特定指示の変更操作を受け付けたか否かを判定する。上記要件を満たす場合（ＹＥＳ側）にはＳ１０４に移行する。一方、上記要件を満たさない場合（ＮＯ側）にはＳ１０６に移行する。
【００５９】
ステップＳ１０４：スライドショー作成部２１は、ガイド表示画面の表示切替を行う。具体的には、スライドショー作成部２１は、新たな特定指示に対応するガイドメッセージを表示する。また、スライドショー作成部２１は、表示バーの枠表示の位置を新たな特定指示の番号に合わせて移動させる。
【００６０】
ステップＳ１０５：スライドショー作成部２１は、新たな特定指示に対応したパラメータ設定データを読み出して、電子カメラ１の撮影条件のパラメータや画像処理のパラメータの設定変更を行う。
【００６１】
ステップＳ１０６：スライドショー作成部２１は、現在の特定指示がダウンロード指示か否かを判定する。上記要件を満たす場合（ＹＥＳ側）にはＳ１１１に移行する。一方、上記要件を満たさない場合（ＮＯ側）にはＳ１０７に移行する。
【００６２】
ステップＳ１０７：スライドショー作成部２１は、レリーズ釦２０ａが全押しされたか否かを判定する。上記要件を満たす場合（ＹＥＳ側）にはＳ１０８に移行する。一方、上記要件を満たさない場合（ＮＯ側）にはＳ１１５に移行する。
【００６３】
ステップＳ１０８：ＣＰＵ１２は、撮像素子１１を駆動させて記録用の静止画像の撮影を実行する。この記録用の静止画像の撮影は、スライドショー作成部２１によって設定されたパラメータに基づいて行われる。この記録用の静止画像のデータは、画像処理部２２で所定の処理が施された後に、第１メモリ１３にバッファリングされる。
【００６４】
ステップＳ１０９：スライドショー作成部２１は、記録用の静止画像のデータ（Ｓ１０８で撮影されたもの）を記録Ｉ／Ｆ１５を介して記憶媒体２３に記録する。そして、スライドショー作成部２１は、上記の画像のデータを、特定指示の番号に対応する画像保存フォルダに記録する。なお、スライドショー作成部２１は、テンプレートデータに基づく画像保存フォルダによって、行動指示に応じて撮影された画像のデータと、スライドショー再生での再生順との対応付けを行うことができる。
【００６５】
ステップＳ１１０：スライドショー作成部２１は、画像取得管理データにおいて、特定指示の番号に対応したフラグを撮影済の状態に変更する。その後、スライドショー作成部２１は、Ｓ１１５に処理を移行する。
【００６６】
ステップＳ１１１：スライドショー作成部２１は、記念撮影用カメラユニット３から画像のダウンロードを行うためのダウンロード処理画面をモニタ１８に表示する。なお、ダウンロード処理画面での各種の表示処理は、いずれもＣＰＵ１２によって制御される。
【００６７】
図７に、一の実施形態におけるダウンロード処理画面の例を示す。ダウンロード処理画面では、ダウンロード指示に対応するガイドメッセージとともに、画像のダウンロードの開始を指示するＧＵＩ形式のボタンが表示される。また、ダウンロード処理画面の右端には、ガイド表示画面と同様に、行動指示の表示バーが表示される。
【００６８】
ステップＳ１１２：スライドショー作成部２１は、ダウンロード処理画面（Ｓ１１１）においてダウンロードの開始指示を受け付けたか否かを判定する。上記要件を満たす場合（ＹＥＳ側）にはＳ１１３に移行する。一方、上記要件を満たさない場合（ＮＯ側）には、スライドショー作成部２１はＳ１０３に戻って上記動作を繰り返す。
【００６９】
ステップＳ１１３：スライドショー作成部２１は、記念撮影用カメラユニット３から画像をダウンロードする。
【００７０】
ここで、スライドショー作成部２１は、ダウンロード指示の操作を受け付けると、無線通信モジュール１６または外部Ｉ／Ｆ１７を介して、記念撮影用カメラユニット３に画像の取得要求を送信する。このとき、スライドショー作成部２１は、画像の取得要求に先だってダウンロードの対象となる画像の一覧を取得して、ダウンロードする画像を電子カメラ１上でユーザーに選択させてもよい。
【００７１】
記念撮影用カメラユニット３のカメラ制御部４３は、上記の取得要求に応じて、指定された画像のデータを電子カメラ１に送信する。このとき、カメラ制御部４３は、電子決済などの手段でユーザーに対する課金処理を行ってもよい。
【００７２】
一方、スライドショー作成部２１は、記念撮影用カメラユニット３からダウンロードした画像のデータを、ダウンロード指示の番号に対応する記憶媒体２３の画像保存フォルダに記録する。なお、スライドショー作成部２１は、テンプレートデータに基づく画像保存フォルダによって、ダウンロード指示に応じて取得された画像のデータと、スライドショー再生での再生順との対応付けを行うことができる。
【００７３】
ステップＳ１１４：スライドショー作成部２１は、画像取得管理データにおいて、特定指示の番号に対応したフラグを取得済の状態に変更する。
【００７４】
ステップＳ１１５：スライドショー作成部２１は、スライドショー作成モードから他の動作モードへのモード変更操作を受け付けたか否かを判定する。上記要件を満たす場合（ＹＥＳ側）にはＳ１２１に移行する。一方、上記要件を満たさない場合（ＮＯ側）には、スライドショー作成部２１はＳ１０１に戻って上記動作を繰り返す。
【００７５】
ステップＳ１１６：スライドショー作成部２１は、スライドショーの作成に必要な画像の収集が完了したことを示す撮影完了表示（例えば「ＣＯＭＰＬＥＴＥ」などのメッセージ）をモニタ１８に表示する。
【００７６】
ステップＳ１１７：スライドショー作成部２１は、スライドショー作成画面をモニタ１８に表示する。図８に、一の実施形態におけるスライドショー作成画面の例を示す。スライドショー作成画面では、「スライドショーを作成しますか？」などのメッセージとともに、スライドショーの作成開始を指示するＧＵＩ形式のボタンが表示される。
【００７７】
ステップＳ１１８：スライドショー作成部２１は、スライドショー作成画面において、スライドショーの作成開始の指示を受け付けたか否かを判定する。上記要件を満たす場合（ＹＥＳ側）にはＳ１１９に移行する。一方、上記要件を満たさない場合（ＮＯ側）にはＳ１２０に移行する。
【００７８】
ステップＳ１１９：スライドショー作成部２１は、スライドショー作成モードで収集した画像を用いてスライドショー再生ファイルを生成する。一例として、以下の（１）から（４）の処理によってスライドショー再生ファイルが生成される。
【００７９】
（１）スライドショー処理部は、各々の画像保存フォルダに記憶されている画像からスライドショーに用いる画像を特定する。画像保存フォルダに１つの画像のみ存在する場合には、スライドショー処理部は画像保存フォルダ内の画像をスライドショーに用いる画像として特定する。一方、画像保存フォルダに複数の画像が存在する場合には、スライドショー処理部は画像保存フォルダにある画像のうちから、ユーザーが指定した画像をスライドショーに用いる画像として特定する。
【００８０】
（２）画像処理部２２は、スライドショー作成部２１の指示に応じて、上記（１）で特定された画像のデータにそれぞれ解像度変換処理を施して、スライドショー再生での解像度（例えば３２０×２４０画素）に合わせた縮小画像を生成する。
【００８１】
このとき、画像処理部２２は、合成処理データに基づいて、特定された画像と元画像とを合成して上記の縮小画像を生成してもよい。この場合には、ある行動指示で撮影された画像がユーザーにとって意外なかたちで再生されるので、スライドショー再生のときの娯楽性を一層向上させることができる。
【００８２】
（３）スライドショー作成部２１は、テンプレートデータのシナリオデータに、上記（２）で生成された各々の縮小画像を対応付けるリンクデータを生成する。このリンクデータにより、各々の縮小画像はスライドショー再生の再生順で管理されることとなる。
【００８３】
（４）スライドショー作成部２１は、テンプレートデータのシナリオデータおよびオーディオデータと、各々の縮小画像のデータと、リンクデータとを含むスライドショー再生ファイルを生成する。
【００８４】
なお、電子カメラ１の再生モードなどで上記のスライドショー再生ファイルを実行すると、ＣＰＵ１２は、ファイル内のシナリオデータに基づいて、音楽に合わせて縮小画像をスライドショー形式で順次再生することができる。
【００８５】
ステップＳ１２０：スライドショー作成部２１は、スライドショー作成モードから他の動作モードへのモード変更操作を受け付けたか否かを判定する。上記要件を満たす場合（ＹＥＳ側）にはＳ１２１に移行する。一方、上記要件を満たさない場合（ＮＯ側）には、スライドショー作成部２１はＳ１１８に戻って上記動作を繰り返す。
【００８６】
ステップＳ１２１：スライドショー作成部２１は、ガイド表示画面の表示を停止して、スライドショー作成モードの一連の処理を終了する。以上で、図４、図５の説明を終了する。
【００８７】
以下、一の実施形態における作用効果を述べる。一の実施形態の電子カメラ１は、ユーザーの設定した主題に応じて、画像を取得すべき情景をガイド表示画面でユーザーに指示する。そして、ユーザーは、ガイド表示画面のメッセージに従ってスライドショー再生に用いる画像を収集することで、ユーザーの設定した主題に沿ったスライドショー再生ファイルを容易に生成できる。
【００８８】
したがって、一の実施形態では、電子カメラ１の指示するメッセージに従ってスライドショーのための画像をユーザーに収集させることで、電子カメラ１をパーティグッズ的に活用でき、スライドショーの画像を収集する過程での娯楽性をより高めることができる。
【００８９】
また、一の実施形態の電子カメラ１では、既製のスライドショー作成ファイルを用いてユーザーが１つのスライドショーを生成する。そのため、ユーザーは所定の主題に沿った完成度の高いスライドショーを作成することが可能となる。
【００９０】
＜実施形態の補足事項＞
（１）上記の実施形態では、電子カメラ１がサーバ２からスライドショー作成ファイルを取得する例を説明した。しかし、本発明では、電子カメラ１はスライドショー作成ファイルをサーバ２から取得しなくともよい。また、上記の実施形態では、電子カメラ１が記念撮影用カメラユニット３から一部の画像をダウンロードで取得する例を説明した。しかし、本発明では、行動指示にダウンロード指示がない場合には、記念撮影用カメラユニット３を要しないことはいうまでもない。したがって、本発明は、一の実施形態の電子カメラ１を単独で運用するものであってもよい。
【００９１】
（２）上記の実施形態のＳ１１９において、スライドショー作成部２１は、所定の動画ファイル形式でスライドショーの動画像を生成するようにしてもよい。また、上記の実施形態のＳ１１９において、スライドショー作成部２１は、縮小画像（または縮小前の撮影画像）とシナリオデータとを対応付けるリンクデータのみを生成するようにしてもよい。
【００９２】
（３）上記の実施形態では、画像保存フォルダを用いて、撮影画像がスライドショー再生で何番目に再生される画像に対応するかを判別する例を説明した。しかし、上記の実施形態において、スライドショー作成部２１は、ファイル名によって、撮影画像と行動指示の番号との対応付けを行うようにしてもよい。また、スライドショー再生で何番目に再生される画像に対応するかを判別するときに、スライドショー処理部は予め用意されたテンプレート画像とのマッチング処理を行い、テンプレート画像との一致度合いの高い画像を選択してもよい。
【００９３】
（４）上記の実施形態において、スライドショー再生ファイルの画像には、電子カメラ１で撮影された動画像を含めるようにしてもよい。なお、この場合には、動画像のデータを予め縮小画像のサイズに揃えて生成することが好ましい。
【００９４】
（５）上記の実施形態において、スライドショー作成部２１は、１つの行動指示に対して複数回の撮影を禁止するようにしてもよい。また、上記の実施形態において、スライドショー作成部２１は、スライドショーの再生順に沿って画像の撮影順を固定するようにしてもよい。
【００９５】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【図面の簡単な説明】
【００９６】
【図１】一の実施形態における電子カメラシステムの構成例を示すブロック図
【図２】スライドショー作成ファイルのデータ構造例を示す図
【図３】スライドショーの主題選択画面の例を示す図
【図４】スライドショーの作成処理の例を説明する流れ図
【図５】図４の続きの流れ図
【図６】ガイド表示画面の例を示す図
【図７】ダウンロード処理画面の例を示す図
【図８】スライドショー作成画面の例を示す図
【符号の説明】
【００９７】
１…電子カメラ、２…サーバ、３…記念撮影用カメラユニット、１１…撮像素子、１２…ＣＰＵ、１３…第１メモリ、１４…第２メモリ、１５…記録Ｉ／Ｆ、１６…無線通信モジュール、１７…外部Ｉ／Ｆ、１８…モニタ、１９…スピーカー、２０…操作部、２１…スライドショー作成部、２２…画像処理部、２３…記憶媒体、３１…記憶部、３２…サーバ通信部、３３…サーバ制御部
【図１】
2010041472.tif 000003
【図２】
2010041472.tif 000004
【図３】
2010041472.tif 000005
【図４】
2010041472.tif 000006
【図５】
2010041472.tif 000007
【図６】
2010041472.tif 000008
【図７】
2010041472.tif 000009
【図８】
2010041472.tif 000010